(57)【特許請求の範囲】
【請求項１】
第一の角度( α) で交差する少なくとも二本の軸線(2,3) を有するハウジング(1) と、これらの軸線のうちの第一の軸線(3) に配置されかつ保持要素により位置決めされている二つの接点支持体(32,28) と、これらの両方の接点支持体(32,28) の間に絶縁距離として設計された間隔と、この第一の軸線(3) に沿って可動でありかつ第一の接点支持体(32)により案内された断路器接点(35)とを備え、この断路器接点は、断路器がオンに切り換えられた状態で両方の接点支持体(32,28) の間の間隔を導電状態に橋渡しするようになっており、第一の軸線(3) と第二の軸線(2) がそれぞれハウジング(1) の対称軸を形成しており、ハウジング(1) は、フランジ(8,9,10,11) が設けられた同じ直径の少なくとも四つの開口(4,5,6,7) を有し、これらの開口の中心は両方の軸線(2,3) の一つに存在しておりかつ前記開口は両方の軸線(2,3) の交点から同じ間隔で配置されている、金属カプセルで包まれてガス絶縁された高電圧開閉装置用の断路器において、
両方の軸線(2,3) の交点が両方の接点支持体(32,28) の間の中心に存在しており、
第一の接点支持体(32)のために設けられた第一の保持要素が、第二の軸線(2) に対して第二の角度( β) で傾斜している第三の軸線(33)を有し、
第二の接点支持体(28)のために設けられた第二の保持要素が、第二の軸線(2) に対し第二の角度( β) で傾斜している第四の軸線(29)を有し、
第三の軸線(33)と第四の軸線(29)が互いに平行に延びておりかつ第一の軸線(3) と第二の軸線(2) を有する平面に存在していることを特徴とする断路器。
【請求項２】
第一の角度( α) で交差する少なくとも二本の軸線(2,3) を有するハウジング(1) と、これらの軸線のうちの第一の軸線(3) に配置されかつ保持要素により位置決めされている二つの接点支持体(32,28) と、これらの両方の接点支持体(32,28) の間に絶縁距離として設計された間隔と、この第一の軸線(3) に沿って可動でありかつ第一の接点支持体(32)により案内された断路器接点(35)とを備え、この断路器接点は、断路器がオンに切り換えられた状態で両方の接点支持体(32,28) の間の間隔を導電状態に橋渡しするようになっており、第一の軸線(3) と第二の軸線(2) がそれぞれハウジング(1) の対称軸を形成しており、ハウジング(1) は、フランジ(8,9,10,11) が設けられた同じ直径の少なくとも四つの開口(4,5,6,7) を有し、これらの開口の中心は両方の軸線(2,3) の一つに存在しておりかつ前記開口は両方の軸線(2,3) の交点から同じ間隔で配置されている、金属カプセルで包まれてガス絶縁された高電圧開閉装置用の断路器において、
両方の軸線(2,3) の交点が両方の接点支持体(32,46) の間の中心に存在しており、
第一の接点支持体(32)のために設けられた第一の保持要素が、第二の軸線(2) に対し第二の角度( β) で傾斜している第三の軸線(33)を有し、
第一の接点支持体(32)のために設けられた第二の保持要素が、第二の軸線(2) に対し第二の角度( β) で傾斜している第五の軸線(41)を有し、
第三の軸線(33)と第五の軸線(41)が第一の軸線(3) と第二の軸線(2))を有する平面に存在しており、第三の軸線(33)と第五の軸線(41)が、第一の軸線(3) に置かれた交点(42)で交差しており、
第二の接点支持体(46)が第一の接点支持体(32)に向かい合うように第一の軸線(3) に配置されていることを特徴とする断路器。
【請求項３】
第一の角度( α) で交差する少なくとも二本の軸線(2,3) を有するハウジング(1) と、これらの軸線のうちの第一の軸線(3) に配置されかつ保持要素により位置決めされている二つの接点支持体(32,28) と、これらの両方の接点支持体(32,28) の間に絶縁距離として設計された間隔と、この第一の軸線(3) に沿って可動でありかつ第一の接点支持体(32)により案内された断路器接点(35)とを備え、この断路器接点は、断路器がオンに切り換えられた状態で両方の接点支持体(32,28) の間の間隔を導電状態に橋渡しするようになっており、第一の軸線(3) と第二の軸線(2) がそれぞれハウジング(1) の対称軸を形成しており、ハウジング(1) は、フランジ(8,9,10,11) が設けられた同じ直径の少なくとも四つの開口(4,5,6,7) を有し、これらの開口の中心は両方の軸線(2,3) の一つに存在しておりかつ前記開口は両方の軸線(2,3) の交点から同じ間隔で配置されている、金属カプセルで包まれてガス絶縁された高電圧開閉装置用の断路器において、
両方の軸線(2,3) の交点が両方の接点支持体(32,46) の間の中心に存在しており、
第一の接点支持体(32)のために設けられた第一の保持要素が、第二の軸線(2) に対し第二の角度( β) で傾斜している第三の軸線(33)を有し、
第三の軸線(33)が、第一の軸線(3) と第二の軸線(2) を有する平面に存在しており、
第二の接点支持体(46)が第一の接点支持体(32)に向かい合うように第一の軸線(3) に配置されていることを特徴とする断路器。
【請求項４】
第一の接点支持体(32)が第三の保持要素により接地電極(47)の固定対向接点(50)と接続されており、
第三の保持要素が、第二の軸線(2) に対し第二の角度( β) で傾斜している第五の軸線(41)を有し、
第三の軸線(33)と第五の軸線(41)が、第一の軸線(3) と第二の軸線(2) を有する平面に存在しており、第三の軸線(33)と第五の軸線(41)が、第一の軸線(3) に置かれた交点(42)で交差することを特徴とする請求項３に記載の断路器。
【請求項５】
両方の保持要素のうちの少なくとも一つは、軸方向に生ずる公差と熱膨張を補償できるように設計されていることを特徴とする請求項４に記載の断路器。
【請求項６】
開閉ピン(36)と対向接点(30)の間の絶縁距離の長さが断路器の軸方向広がりを第１の軸線(3) の方向に第２の軸線(2) に対し拡大しないことを特徴とする請求項１から３までのいずれか１つに記載の断路器。
【請求項７】
第一の軸線(3) がハウジング(1) の唯一の対称軸であるように、ハウジング(1) が第一の軸線(3) の方向に延ばされていることを特徴とする請求項１から請求項３までのうちのいずれか一つに記載の断路器。
【請求項８】
第一の角度( α) が直角に形成されており、
両方の軸線（2,3)の各々にそれぞれ開口(4,5,6,7) のうちの二つが設けられていることを特徴とする請求項１から請求項７までのうちのいずれか一つに記載の断路器。
【請求項９】
両方の軸線(2,3) の交点を通って、両軸線(2,3) が存在する平面に対し垂直に別の対称軸が配置されており、
この別の対称軸がハウジング(1) の壁を突き通る場所に、この別の対称軸を中心として、少なくとも一つの円筒状に形成された覗き窓(25)がハウジング(1) の壁に挿入されていることを特徴とする請求項１から請求項８までのうちのいずれか一つに記載の断路器。
【発明の詳細な説明】
【０００１】
【発明の属する技術分野】
本発明は、請求項１の上位概念による金属カプセルで包まれてガス絶縁された高電圧開閉装置用の断路器に関する。
【０００２】
【従来の技術】
本発明の公知技術に関して、例えばドイツ連邦共和国特許公開第42 10 545 号を参照する。この公開公報には、金属カプセルで包まれてガス絶縁された高電圧開閉装置用の角度断路器が記載されており、この角度断路器は、絶縁ガスが充填された金属カプセルに配置されかつ一軸線に沿って互いに接触可能なまたは互いから切断可能な二つの切換え部材を有し、これらの切換え部材はそれぞれ軸方向に延びるピン状の早期点火接点を備え、この早期点火接点は両方の切換え部材において追跡接点として形成され、また両方の固定切換え部材の早期点火接点を軸方向に囲む固定接点と、両方の可動切換え部材に設けられた走行接点とを有し、この走行接点はオン切り換え位置で固定接点と永久電流レーンを形成する。
【０００３】
この断路器は、比較的大きい軸方向広がりを有する。追跡接点により構造要素が可動切換え部材に持ち込まれるが、この可動切換え部材は軸方向に著しい広がりを有しており、高電圧に関して保護されなければならない。このため、すでに大部分は開放切断距離の絶縁間隔により決定される断路開閉器形状寸法を著しく拡大することになる。
【０００４】
ドイツ連邦共和国特許公開第31 09 669 号から、中心軸線に沿って延びている、金属カプセルで包まれてガス絶縁された断路器が知られている。この断路器は、種々の直径を有しかつフランジが設けられた比較的多数の開口を備えているハウジングを有し、前記開口は接地電極、電圧変換器、破裂板などのような付加的な装置を取り付けるために設けられている。フランジが設けられたこれらの開口は、中心軸線に対し垂直に延びている軸線を有する。なお、これらの開口に付加して、フランジが設けられている電流を導くための両方の開口が存在している。このハウジングは比較的大きな軸方向の広がりを有する。同様に、この断路器は比較的大きな軸方向の広がりを有する。
【０００５】
ドイツ連邦共和国特許公開第43 20 906 号から、圧密に互いに結合された比較的多数のハウジングを有し、これらのハウジングは同じに形成されているが、異なる組み込み位置に装着されかつ種々の組み込み構成要素が形成されている、金属カプセルで包まれてガス絶縁された高電圧開閉装置が知られている。これらのハウジングを組み立てるときには、常に、関連するハウジングの組み込み位置に関して正しい組み込み構成要素が装着されることに注意しなければならない。これらのハウジングの各々は、三つの異なる直径を有する四つの接続フランジを有する。
【０００６】
通例、金属カプセルで包まれてガス絶縁された開閉装置では、三つの断路器変形例が用いられる。すなわち、
ａ）例えば母線を長手方向に断路するためまたは出線の直線部分で真っ直ぐな線要素を断路するための直線断路器と、
ｂ）例えば母線を負荷へ導く分岐点を切り離すための送電断路器と、
ｃ）例えば90°の角度だけ電流路の方向を変えるときに、例えば送電断路器として用いる角度断路器である。そのような角度断路器は特に、断路位置のために特にわずかな場所しか使えない所で用いることができる。
【０００７】
金属カプセルで包まれてガス絶縁された慣用の開閉装置では、この断路器ごとに一つの別個のハウジングが設けられており、これらのハウジングは常に互いに異なって形成されている。それにより、装置に装着されるハウジング変形例の数が増加し、このため製造がコスト高になりかつ在庫品維持が困難になる。
【０００８】
【発明が解決しようとする課題】
本発明の課題は、軸方向の寸法が比較的小さくかつすべての断路器変形例を、各変形例ごとに同じに形成されたハウジングに組み込むことができる、冒頭に述べた種類の、金属カプセルに包まれてガス絶縁された高電圧開閉装置用の断路器を提供することである。
【０００９】
【課題を解決するための手段】
上記の課題は、独立請求項１、２、３に記載の各発明の構成により解決される。
【００１０】
全ての断路器変形例について同じようなハウジングを用いることができる場合に、特に有利な高電圧装置が得られる。特に、全ての変形例が同じ断路器モジュールユニットで実現できる場合に、構想設計作業が単純化される。
その上、断路器の接点支持体のための保持要素が全体の断路器変形例のために比較的わずかな同じ部品で組み立てられることが特に有利であることが判明した。一様なハウジングと共に、非常に多面的であり、それにもかかわらず倉庫に維持すべき部品を比較的わずかしか必要としない断路器システムが得られる。
【００１１】
完成した断路器の寸法は、どんな断路器変形例があるかどうかと無関係に軸方向に小さく有利であり、この利点は、断路器の軸方向広がりに影響を与える因子が絶縁距離の長さの一部だけであるようにすることにより得られる。実施の形態では、接点支持体のための保持要素を水平軸線に対し或る角度で傾斜させることにより、絶縁距離の長さの半分について軸方向必要空間が節約される。
【００１２】
【発明の実施の形態】
以下、本発明を図面に示す実施の形態により詳細に説明する。
図１は、本発明による断路器の概略的に示したハウジング１の断面を示す。ハウジング１は通例加圧絶縁ガスで満たされるが、これには特に六弗化硫黄（SF6)が適している。見えるハウジング１の縁は、いっそう良く明らかにするために示してあるにすぎない。このハウジング１は、ガス絶縁された開閉装置のほかのカプセル包囲部分と共に地電位状態に置かれる。ハウジング１は一平面に存在する二本の軸線２、３を有し、これらの軸線は角αをで交差している。角αは通例直角に形成されるが、特別な用途のためには直角と異なる角度も考えられる。通例、ハウジング１はアルミニューム合金で圧密に鋳造される。ハウジング１は少なくとも四つの円形の開口４、５、６および７を有し、これらの開口にはフランジ８、９、１０および１１が設けられている。その場合、開口４にはフランジ８が、開口５にはフランジ９が、開口６にはフランジ１０がそして開口７にはフランジ１１が付設されている。開口４、５、６および７は、中心を軸線２、３が貫通し、しかも軸線２が開口４と６をそして軸線３が開口５と７を貫通するように配置されている。フランジ８、９、１０および１１は、それぞれの軸線２、３に対し垂直に配置された面を有する。
【００１３】
ここでは、開口４は円板状に形成された絶縁体１２により閉塞され、この絶縁体は導電性の流し込みアーマチュア１３を有する。この流し込みアーマチュア１３には導体１４がねじで止められている。絶縁体１２は外輪１５により保持されており、その外輪にはシールリング（図示省略）を収容するために溝をつけてある。外輪１５は、同じに形成された金属の導電性の二つのリングで組み立てられている。絶縁体１２と外輪１５は、フランジ８と共にねじ止めされた隣接ハウジング１７の接続フランジ１６により所定の位置に保持される。ここでは、開口５は蓋フランジ１８により閉塞されている。蓋フランジ１８とフランジ９の間に外輪１５が装着されており、この外輪は必要なシールリング（図示省略）を収容する。しかしながら、この外輪１５をやめて、その代わりに蓋フランジ１８の載置面またはフランジ９の載置面にシールリングを収容するための溝を設けることもできる。蓋フランジ１８には、ねじ止めされたカバー２０により圧密に閉塞されている接続片１９が設けられている。蓋フランジ１８またはカバー２０には、場合によっては破裂板およびハウジング１のガス補給のための接続部も組み込むことができる。
【００１４】
ここでは、開口６は円板状に形成された絶縁体１２により閉塞されており、この絶縁体は導電性の流し込みアーマチュア１３を有する。この流し込みアーマチュア１３には、導体２１がねじで止められている。絶縁体１２の外側が外輪１５により保持されており、この外輪にはシールリング（図示省略）を収容するために溝をつけてある。絶縁体１２と外輪１５は、フランジ１０と共にねじ止めされた隣接ハウジング２３の接続フランジ２２により所定の位置に保持される。ここでは、開口７は蓋フランジ１８により閉塞されている。蓋フランジ１８とフランジ１１の間に外輪１５が装着されており、この外輪は必要なシールリング（図示省略）を収容する。しかしながら、この外輪１５をやめて、その代わりに蓋フランジ１８の載置面またはフランジ１１の載置面にシールリングを収容するための溝を設けることもできる。蓋フランジ１８には、ねじ止めされたカバー２０により圧密に閉塞される接続片１９が設けられている。
【００１５】
ハウジング１と上記の閉塞部品は内部空間２４を有し、この内部空間には、種々の断路器変形例の高電圧で作用される作動部品を組み込むことができる。カバー２０は、種々の付加的な装置を組み込むために用いることができる。ハウジング１には、断路器設定を光学的に制御するためのセンサや覗き窓を組み込むために用いることができる付加的な接続片を設けることもできる。図１において、ハウジング１の中心に覗き窓２５が設けられており、この覗き窓は円筒状に形成された接続片に組み込まれ、この接続片の中心軸線は、軸線２と３が存在する平面に対し垂直に延びておりかつさらに軸２と３の交点を通っている。ハウジング１の向かい合っている壁には、正確に同じ位置に同じに形成された覗き窓が設けられている。全ての断路器変形例の断路位置は、上記の覗き窓２５により制御できるようにハウジング１のそれぞれ中心に配置されている。
【００１６】
図２は、金属カプセルに包まれてガス絶縁された高電圧開閉装置用断路器の概略的に図示した第一の実施の形態の単純化した断面を、オフに切り換えた状態で示す。この断路器は、例えば金属カプセルで包まれた母線の延長中に設けられるような長手方向断路器として形成されている。ここでは、導体１４と２１は、高圧電位で存在する母線部分のそれぞれの端部である。流し込みアーマチュア１３の、導体１４と反対側には、誘電的に有利に形成された導電性の角度連結片２６が接続されており、この角度連結片２６は軸線２に対し角度βだけ傾斜した接続面を有する。ここでは、角度βは30°の値を有するが、角度βの他の値も考えられ、この角度βについて通例25°〜35°の角度範囲を有意に実現することができる。傾斜した接続面には、円筒状に形成された中間片２７がねじで止められている。中間片２７の接続面と反対側には、接点支持体２８がねじで止められている。中間片２７は軸線２９に沿って延びており、この軸線は軸線２および３と同じ平面に存在していてかつ軸線２に対し角度βだけ傾斜している。接点支持体２８は誘電的に好都合に形成されており、金属で製造されている。接点支持体２８には円筒状に形成された対向接点３０が挿入されており、この対向接点は断路器の固定早期点火電極として役立つ。加えて、接点支持体２８には螺旋接点３１が挿入されており、この螺旋接点は断路器が閉じたときに電流の案内を引き受ける。対向接点３０は、同時に対向接点３０の中心軸線を形成する軸線３の方向に延びている。
【００１７】
導体２１は、右側の絶縁体１２の金属の流し込みアーマチュア１３とねじで止められている。流し込みアーマチュア１３の、導体２１と反対側には、誘電性に有利に形成された導電性の角度連結片２６が接続されており、この角度連結片は軸線２に対し角度βだけ傾斜した接続面を有する。これらの両方の角度βは常に同じ値を有することに注意されよう。それ故に、この角度βはここでも同様に30°の値を有する。傾斜した接続面は、円筒状に形成された中間片２７とねじ止めされている。中間片２７の接続面と反対側は接点支持体３２とねじ止めされている。中間片２７は軸線３３に沿って延びており、この軸線３３は軸線２および３と同じ平面に存在しかつ軸線２に対し角βだけ傾斜している。軸線３３は軸線２９に対し平行に延びている。
【００１８】
接点支持体３２は誘電的に有利に形成され、金属で製造されている。接点支持体３２には、電流を導くための螺旋接点３４が挿入されている。接点支持体３２の中心に可動断路器接点３５が配置されている。可動断路器接点３５は円筒状に形成されており、その軸線は軸線３と一致する。可動断路器接点３５は、管状に形成された接点管３７により囲まれた開閉ピン３６を有する。断路器をオンに切り換えると、接点管３７が開閉ピン３６の後で接点支持体２８の螺旋接点３１と接触し、断路器をオフに切り換えると、まず接点管３７が接点本体２８の螺旋接点３１から離れ、その後始めて開閉ピン３６が対向接点３０から離れる。駆動部３９により作用される絶縁ロッド３８が断路器接点３５を動かす。駆動部３９は上方の接続片１９に固定されている。絶縁ロッド３８はハウジング１から圧密に導き出される。絶縁ロッド３８はレバー伝動装置を経て動かされかつ圧密なブシュとして通例回転伝動が用いられる。可動断路器接点３５の、駆動部３９に向けられた側が、誘電的に有利に形成されたシールド４０により導電性材料から覆われている。可動断路器接点３５は軸線３に沿って延びており、この軸線は同時にこの接点の中心軸線を形成する。螺旋接点３４は接点管３７を囲んでおりかつこの接点管を接点支持体３２と導電的に接続している。
【００１９】
断路器をオンに切り換えた状態では、電流が導体１４から流し込みアーマチュア１３、角度連結片２６、中間片２７、接点支持体２８、螺旋接点３１、接点管３７、螺旋接点３４、接点支持体３２、中間片２７、角度連結片２６および流し込みアーマチュア１３を通って導体２１に流れる。
図３は、金属カプセルに包まれてガス絶縁された高電圧開閉装置用断路器の概略的に図示した第二の実施の形態の単純化した断面図をオフに切り換えた状態で示す。この断路器は、出線または給電線を母線と接続するかまたはこれから切り離すために、例えば金属カプセルに包まれてガス絶縁された高電圧開閉装置に設けられるような分配断路器として形成されている。ここでは、導体１４と２１は高圧電位に存在する母線部分のそれぞれの端部であり、とりわけここではこれらの導体１４と２１は図３から明らかなように電気を導くように互いに接続されている。導体１４は左側の絶縁体１２の金属流し込みアーマチュア１３とねじ止めされている。流し込みアーマチュア１３の、導体１４と反対側に、誘電的に好都合に形成された導電性の角度連結片２６が接続されており、この角度連結片は、軸線２に対し角度βだけ傾斜した接続面を有する。ここでは、角度βは30°の値を有するが、ハウジング１の幾何学的形状寸法に応じて角度βと異なる値も考えられ、この角度βについて通例25°〜35°の角度範囲を有意に実現することができる。傾斜した接続面は円筒状に形成された中間片２７とねじ止めされている。中間片２７の、接続面と反対側は、接点支持体３２とねじ止めされている。中間片２７は軸線４１に沿って延びており、この軸線は軸線２および３と同じ平面に存在しておりかつ軸線２に対し角度βだけ傾斜している。
【００２０】
接点支持体３２は誘電的に好都合に形成され、金属で製造される。接点支持体３２は、すでに述べたように、軸線３に沿って可動な断路器接点３５を支持している。接点支持体３２は、すでに図２と関連して述べたように、軸線３３に沿って延びる別の中間片２７、別の角度連結片２６および流し込みアーマチュア１３によって導体２１と接続されている。軸線３３は軸線２と角度βで交差している。両方の軸線４１と３３は、軸線３上で可動断路器接点３５の範囲に存在する交点４２で交差する。しかしながら、両方の中間片２７のうちの少なくとも一つの中間片には、補償装置（図示省略）が設けられており、この補償装置は、断路器の組立の際には機械的公差および断路器の運転中には軸線４１と３３に沿って作用する熱膨張をそれぞれ均一化することができるので、支持する絶縁体１２に機械的な過負荷をかけることはできない。
【００２１】
導体４３は出線または給電線の作動部分である。導体４３は、加圧絶縁ガスで満たされた接続ハウジング４４により環境の及ぼす影響に対し保護される。ここでは、ハウジング１の開口７は円板状に形成された絶縁体１２により閉塞されており、この絶縁体は導電性の流し込みアーマチュア１３を有する。流し込みアーマチュア１３は導体４３とねじ止めされている。絶縁体１２は外輪１５により保持されており、この外輪には溝がシールリング（図示省略）を収容するために入れてある。外輪１５は、同じに形成された二つの金属の導電性リングで組み立てられている。絶縁体１２と外輪１５は、フランジ１１とねじ止めされた接続ハウジング４４の接続フランジ４５により所定の位置に保持されている。流し込みアーマチュア１３の、導体４３と反対側には、円筒状の誘電的に好都合に形成された接点支持体４６がねじで止められており、この接点支持体には、図２の接点支持体２８の場合と同様に、対向接点３０と螺旋接点３１が挿入されている。接点支持体４６、流し込みアーマチュア１３および導体４３は、軸線３と完全に等しい共通の中心軸線を有する。
【００２２】
図４は、金属カプセルで包まれてガス絶縁された高電圧開閉装置用断路器の概略的に図示した第三の実施の形態の単純化した断面をオフに切り換えた状態で示す。この断路器は、特に空間を節約する分離可能な接続可能性をつくるために、例えば金属カプセルで包まれてガス絶縁された高電圧開閉装置に設けられるような角度断路器として形成されている。ここでは、導体４３と２１は、必要な場合に高圧電位に存在する配置部分の接続すべきまたは切断すべきそれぞれの端部である。導体２１と可動断路器接点３５との接続は、図２に記載されているものと同じに実施されている。ここでも、中間片２７は軸線２に対し角度βだけ傾斜している。ここでは、角度βは30°の値を有するが、ハウジング１の幾何学的寸法形状に応じて異なる値の角度βも考えられ、通例この角度βについて25°〜35°の角度範囲を有意に実現することができる。中間片２７が軸線２３に沿って延びており、この軸線は軸線２および３と同じ平面に存在しかつ軸線２に対し角度βだけ傾斜している。接点支持体３２は誘電的に好都合に形成されており、金属で製造されている。接点支持体３２は、すでに述べたように、軸線３に沿って可動な断路器接点３５を支持している。
【００２３】
軸線３３は、可動断路器接点３５の範囲にある交点４２で軸線３と交差する。導体４３は出線または給電線の作用部分である。導体４３は、加圧絶縁ガスで満たされた接続ハウジング４４により環境の及ぼす影響に対し保護される。ハウジング１の開口７は、ここでは円板状に形成された絶縁体１２により閉塞されており、この絶縁体は導電性の流し込みアーマチュア１３を有する。流し込みアーマチュア１３は導体４３とねじ結合されている。導体１２が外輪１５により保持されており、この外輪にはシールリング（図示省略）を収容するために溝を入れてある。外輪１５は、同じに形成された金属の二つの導電性リングで組み立てられている。絶縁体１２と外輪１５は、フランジ１１とねじ結合された接続ハウジング４４の接続面４５により所定の位置に保持される。流し込みアーマチュア１３の、導体４３と反対側に、誘電的に好都合に形成された円筒状の接点支持体４６がねじ止めされており、この接点支持体には、図２の接点支持体２８と同様に、対向接点３０と螺旋接点３１を挿入してある。接点支持体４６、流し込みアーマチュア１３および導体４３が、軸線３と完全に一致する共通の中心軸線を有する。
【００２４】
図５は図４による断路器の改変された実施を示し、しかもこの断路器には接地電極４７が付加的に設けられている。接地電極４７は概略的に示した駆動部４８を有し、この駆動部は、オフ切り換え位置に示した開閉ピン４９を軸線２に沿って固定対向接点５０に向かう方向に動かすことができる。対向接点５０には、開閉ピン４９を収容する接点配置（図示省略）を挿入してある。対向接点５０は中間片２７とねじ止めされており、この中間片は接点支持体３２と電気を導くように接続されている。この中間片２７は軸線４１に沿って延びており、軸線４１は軸線２および３と同じ平面に存在しかつ軸線２に対し角度βだけ傾斜している。両方の軸線４１と３３は、軸線３上で可動断路器接点３５の範囲にある交点４２で交差する。しかしながら、ここでは両方の中間片２７には、製造公差と熱膨張のための補償装置を設けてはならない。
【００２５】
断路器が開放されたとき、営業上の理由からこれを必要とする場合に、断路器の導体２１と接続された側をアースすることができる。しかしながら、中間片２７およびこれと接続された対向接点５０が接点支持体４６に固定できるように接点支持体４６を改変することも可能であり、その結果導体２１と接続された側の代わりに、導体４３と接続された断路器の側を必要の場合にアースすることができる。ハウジング１にアースを組み込むための場所がない場合には、金属カプセルに包まれてガス絶縁された開閉装置の規則どうりの検査に必要な接地電極装置をそれぞれの断路器に隣接するハウジングに格納することができる。
【００２６】
基本的には、図１〜図５に示した高電圧開閉装置用断路器の変形例は、関連する金属カプセルで包まれてガス絶縁された開閉装置の装置概念により定められるあらゆる任意の設置位置に組み込み可能である。種々の断路器変形例は、全ての変形例について同じハウジング１において二三のわずかな同じ部品を用いて積木箱状に構造的に実現することができる。在庫品を維持するための費用は、同じ部品が比較的わずかな数のため安く保つことができて有利である。特に有利なことは、金属カプセルで包まれてガス絶縁された高電圧開閉装置に必要な全ての断路器変形例について唯一のハウジング形式のみ、すなわちハウジング１のみが必要なことである。
【００２７】
図２〜図４において接続片１９を閉塞するために設けられているカバー２０は、絶縁体１２が圧密なショットング絶縁体として設計される場合に、有利には破裂板により取り替えることができる。絶縁体１２に、隣接するハウジングとガス交換ができる通路が設けられている場合に、破裂板を隣接するハウジングにも設けることができる。しかしながら、図２のカバー２０に接地電極を備えることもでき、そのときもちろん接点支持体２８には、誘電的に好都合に形成された、この接地電極の切換えピン用の結合可能性を与えなければならない。
【００２８】
断路器をオンに切り換えると、駆動部３９により作用される絶縁ロッド３８により可動断路器接点３５が軸線３に沿って固定対向接点３０へ動くことができる。場合によっては残留電荷によりおよび／または接点支持体３２と接点支持体２８または４６との間に隣接する使用周波数電圧により引き起こされる可動接点配置３５と固定対向接点３０との間の早期点火が各断路器変形例により完全に抑制される。ハウジング１の壁へ早期点火アークを拡げることは、断路器作用部分の幾何学的配置により条件づけられて発生することができない。断路器の駆動部３９は、あらゆる予想される作動の場合に、可動接点配置３５を、予定したオン切り換え位置へ動かすように設計されているので、常に完全な電流の案内がそのために設けられた接点管３７と螺旋接点３１および３４を経由して確保される。同様に、断路器の開放も常に完全に行われる。
【００２９】
同様に、前述した接地電極を位置と無関係に作用させることができるので、そこから位置が条件づけられる組み込み制限も存在しない。これらの接地電極は、常用接地電極としても速応接地電極としても形成することができる。構造群断路器は非常にコンパクトに実施されて、軸方向に特にわずかな場所しか必要としないので、これらの断路器が設けられた開閉場を特に小さな寸法で実施することができる。  ガス絶縁された開閉装置の電流路が折れ曲がっていると、この位置に高い障害電流、特に短絡初期過度電流が発生する場合に、高い動電気の力が電流路に生ずることになる。図２と図３による断路器変形例は、これらの動電気の力が少なくとも部分的に補償されるように動電気的に有利に形成されるので、支持する絶縁体に作用する曲げモーメントを比較的小さく保つことができ、それ故断路器作動部分を支持する絶縁体１２を付加的な補強なしでこれらのモーメントを受けることができる。
【００３０】
ハウジング１は、図１から図５までに対称的に形成されたハウジングとして示してある。しかしながら、高電圧装置の装置概念が、例えば接地電極や破裂板を付加的に組み込むために、常に同じに形成された付加的なハウジングを適当なフランジ開口でハウジング１に固定しなければならないことを必要とする場合に、この付加的なハウジングをハウジング１と共に一体の鋳造部材にまとめることができる。適当な部品数が必要となる場合に、なお軸線２、３の一方に対し対称的であるそのような鋳造部品が経済的な利益をもたらす。なぜなら、費用のかかるフランジ結合を節約できるからである。上記の対称的に形成されたハウジング１の利益は、このハウジング１が完全に付加的なハウジングの中に一体化されているときでも、断路器組み込み可能性に関してもちろん保ったままである。
【００３１】
【発明の効果】
以上説明したように、本発明によれば、軸方向の寸法が比較的小さくかつすべての断路器変形例を各変形例ごとに同じに形成されたハウジングに組み込むことができる、金属カプセルに包まれてガス絶縁された高電圧開閉装置用の断路器が得られる。
【図面の簡単な説明】
【図１】本発明による断路器のハウジングの断面図である。
【図２】本発明による断路器の第一の実施の形態の単純化した断面である。
【図３】本発明による断路器の第二の実施の形態の単純化した断面である。
【図４】本発明による断路器の第三の実施の形態の単純化した断面である。
【図５】図４による本発明の断路器の若干改変された実施の単純化した断面である。
【符号の説明】
１                        ハウジング
２，３                    軸線
４，５，６，７            開口
８，９，１０，１１        フランジ
１２                        絶縁体
１３                        流し込みアーマチュア
１４                        導体
１５                        外輪
１６                        接続フランジ
１７                        隣接ハウジング
１８                        蓋フランジ
１９                        接続片
２０                        カバー
２１                        導体
２２                        接続フランジ
２３                        隣接フランジ
２４                        内部空間
２５                        覗き窓
２６                        角度連結片
２７                        中間片
２８                        接点支持体
２９                        軸線
３０                        対向接点
３１                        螺旋接点
３２                        接点支持体
３３                        軸線
３４                        螺旋接点
３５                        可動断路器接点
３６                        切換えピン
３７                        接点管
３８                        絶縁ロッド
３９                        駆動部
４０                        シールド
４１                        軸線
４２                        交点
４３                        導体
４４                        接続ハウジング
４５                        接続フランジ
４６                        接点支持体
４７                        接地電極
４８                        駆動部
４９                        切換えピン
５０                        対向接点
α，β                      角度
【図１】
0003707862.tif 000002
【図２】
0003707862.tif 000003
【図３】
0003707862.tif 000004
【図４】
0003707862.tif 000005
【図５】
0003707862.tif 000006